【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
画像データの画素値を補正する画像処理装置であって、
複数の色成分からなり、１つの画素に１つの色成分を有する複数の画素からなる画像データを入力する入力手段と、
前記画像データの１つの処理対象画素に対し、該処理対象画素と同じ色成分を有する複数の周囲の同色画素の画素値と、前記複数の周囲の同色画素よりも前記処理対象画素に近接して存在する、前記処理対象画素とは異なる色成分を有する複数の周囲の異色画素の画素値との間の中から最大値を算出する算出手段と、
前記処理対象画素の画素値と前記最大値とを比較して、前記処理対象画素の画素値が前記最大値よりも大きな値を示す場合、前記処理対象画素の画素値を前記最大値で置き換える補正手段とを備えることを特徴とする画像処理装置。
【請求項２】
画像データの画素値を補正する画像処理装置であって、
複数の色成分からなり、１つの画素に１つの色成分を有する複数の画素からなる画像データを入力する入力手段と、
前記画像データの１つの処理対象画素に対し、該処理対象画素と同じ色成分を有する複数の周囲の同色画素よりも前記処理対象画素に近接して存在する、前記処理対象画素とは異なる色成分を有する複数の周囲の異色画素の画素値を少なくとも含む複数の周囲画素の画素値の中から最大値を算出する算出手段と、
前記処理対象画素の値と前記最大値を比較して、前記処理対象画素の値が前記最大値よりも大きな値を示す場合、前記処理対象画素の値を前記最大値で置き換える補正手段とを備えることを特徴とする画像処理装置。
【請求項３】
画像データの画素値を補正する画像処理装置であって、
複数の色成分からなり、１つの画素に１つの色成分を有する複数の画素からなる画像データを入力する入力手段と、
前記画像データの１つの処理対象画素に対し、該処理対象画素と同じ色成分を有する複数の周囲の同色画素の画素値と、前記複数の周囲の同色画素よりも前記処理対象画素に近接して存在する、前記処理対象画素とは異なる色成分を有する複数の周囲の異色画素の画素値との間の中から最小値を算出する算出手段と、
前記処理対象画素の画素値と前記最小値とを比較して、前記処理対象画素の画素値が前記最小値よりも小さな値を示す場合、前記処理対象画素の画素値を前記最小値で置き換える補正手段とを備えることを特徴とする画像処理装置。
【請求項４】
画像データの画素値を補正する画像処理装置であって、
複数の色成分からなり、１つの画素に１つの色成分を有する複数の画素からなる画像データを入力する入力手段と、
前記画像データの１つの処理対象画素に対し、該処理対象画素と同じ色成分を有する複数の周囲の同色画素よりも前記処理対象画素に近接して存在する、前記処理対象画素とは異なる色成分を有する複数の周囲の異色画素の画素値を少なくとも含む複数の周囲画素の画素値の中から最小値を算出する算出手段と、
前記処理対象画素の値と前記最小値を比較して、前記処理対象画素の値が前記最小値よりも小さな値を示す場合、前記処理対象画素の値を前記最小値で置き換える補正手段とを備えることを特徴とする画像処理装置。
【請求項５】
請求項１または２に記載の画像処理装置において、
前記算出手段は、更に前記最大値の算出に参照した同じ画素の画素値の中から最小値を算出し、
前記算出された最大値から最小値を差し引いた差分値を算出し、該差分値に対して定数倍した値を前記処理対象画素に対する閾値として設定する設定手段をさらに備え、
前記補正手段は、前記処理対象画素の値と、前記最大値に対して前記閾値を加算した値を比較して、前記処理対象画素の値が該加算値を超えて大きな値を示す場合、前記処理対象画素の値を前記最大値で置き換えることを特徴とする画像処理装置。
【請求項６】
請求項３または４に記載の画像処理装置において、
前記算出手段は、更に前記最小値の算出に参照した同じ画素の画素値の中から最大値を算出し、
前記算出された最大値から最小値を差し引いた差分値を算出し、該差分値に対して定数倍した値を前記処理対象画素に対する閾値として設定する設定手段とを備え、
前記補正手段は、前記処理対象画素の値と、前記最小値に対して前記閾値を減算した値を比較して、前記処理対象画素の値が該減算値を超えて小さな値を示す場合、前記処理対象画素の値を前記最小値で置き換えることを特徴とする画像処理装置。
【請求項７】
請求項１〜６のいずれか一項に記載の画像処理装置において、
前記算出手段は、前記異色画素の画素値として、前記画像データの色成分間で予め決まっているホワイトバランスの調整値を用いて、前記処理対象画素の色成分を基準としたゲイン調整が行われた後の値を用いることを特徴とする画像処理装置。
【請求項８】
請求項１〜７のいずれか一項に記載の画像処理装置において、
前記算出手段は、前記画像データが正方格子配列の場合には、前記複数の周囲の異色画素の画素値として、前記処理対象画素を中心に３×３画素の範囲内に含まれる異色画素の画素値を用いることを特徴とする画像処理装置。
【請求項９】
画像データの画素値を補正する画像処理装置であって、
前記画像データの１つの処理対象画素に対し、複数の周囲の画素の画素値の中から最大値と最小値を算出する算出手段と、
前記算出された最大値から最小値を差し引いた差分値を算出し、該差分値に対して定数倍した値を前記処理対象画素に対する閾値として設定する設定手段と、
前記処理対象画素の値と、前記最大値に対して前記閾値を加算した値を比較して、前記処理対象画素の値が該加算値を超えて大きな値を示す場合、前記処理対象画素の値を前記最大値で置き換える補正手段とを備えることを特徴とする画像処理装置。
【請求項１０】
画像データの画素値を補正する画像処理装置であって、
前記画像データの１つの処理対象画素に対し、複数の周囲の画素の画素値の中から最大値と最小値を算出する算出手段と、
前記算出された最大値から最小値を差し引いた差分値を算出し、該差分値に対して定数倍した値を前記処理対象画素に対する閾値として設定する設定手段と、
前記処理対象画素の値と、前記最小値に対して前記閾値を減算した値を比較して、前記処理対象画素の値が該減算値を超えて小さな値を示す場合、前記処理対象画素の値を前記最小値で置き換える補正手段とを備えることを特徴とする画像処理装置。
【請求項１１】
請求項９に記載の画像処理装置において、
前記補正手段は、前記処理対象画素の値を前記最大値から前記加算値の間の範囲に含まれる１つの値で置き換えることを特徴とする画像処理装置。
【請求項１２】
請求項１０に記載の画像処理装置において、
前記補正手段は、前記処理対象画素の値を前記最小値から前記減算値の間の範囲に含まれる１つの値で置き換えることを特徴とする画像処理装置。
【手続補正２】
【補正対象書類名】明細書
【補正対象項目名】０００５
【補正方法】変更
【補正の内容】
【０００５】
請求項１の発明による画像処理装置は、画像データの画素値を補正する画像処理装置であって、複数の色成分からなり、１つの画素に１つの色成分を有する複数の画素からなる画像データを入力する入力手段と、前記画像データの１つの処理対象画素に対し、該処理対象画素と同じ色成分を有する複数の周囲の同色画素の画素値と、前記複数の周囲の同色画素よりも前記処理対象画素に近接して存在する、前記処理対象画素とは異なる色成分を有する複数の周囲の異色画素の画素値との間の中から最大値を算出する算出手段と、前記処理対象画素の画素値と前記最大値とを比較して、前記処理対象画素の画素値が前記最大値よりも大きな値を示す場合、前記処理対象画素の画素値を前記最大値で置き換える補正手段とを備えることを特徴とする。
請求項２の発明による画像処理装置は、画像データの画素値を補正する画像処理装置であって、複数の色成分からなり、１つの画素に１つの色成分を有する複数の画素からなる画像データを入力する入力手段と、前記画像データの１つの処理対象画素に対し、該処理対象画素と同じ色成分を有する複数の周囲の同色画素よりも前記処理対象画素に近接して存在する、前記処理対象画素とは異なる色成分を有する複数の周囲の異色画素の画素値を少なくとも含む複数の周囲画素の画素値の中から最大値を算出する算出手段と、前記処理対象画素の値と前記最大値を比較して、前記処理対象画素の値が前記最大値よりも大きな値を示す場合、前記処理対象画素の値を前記最大値で置き換える補正手段とを備えることを特徴とする。
請求項３の発明による画像処理装置は、画像データの画素値を補正する画像処理装置であって、複数の色成分からなり、１つの画素に１つの色成分を有する複数の画素からなる画像データを入力する入力手段と、前記画像データの１つの処理対象画素に対し、該処理対象画素と同じ色成分を有する複数の周囲の同色画素の画素値と、前記複数の周囲の同色画素よりも前記処理対象画素に近接して存在する、前記処理対象画素とは異なる色成分を有する複数の周囲の異色画素の画素値との間の中から最小値を算出する算出手段と、前記処理対象画素の画素値と前記最小値とを比較して、前記処理対象画素の画素値が前記最小値よりも小さな値を示す場合、前記処理対象画素の画素値を前記最小値で置き換える補正手段とを備えることを特徴とする。
請求項４の発明による画像処理装置は、画像データの画素値を補正する画像処理装置であって、複数の色成分からなり、１つの画素に１つの色成分を有する複数の画素からなる画像データを入力する入力手段と、前記画像データの１つの処理対象画素に対し、該処理対象画素と同じ色成分を有する複数の周囲の同色画素よりも前記処理対象画素に近接して存在する、前記処理対象画素とは異なる色成分を有する複数の周囲の異色画素の画素値を少なくとも含む複数の周囲画素の画素値の中から最小値を算出する算出手段と、前記処理対象画素の値と前記最小値を比較して、前記処理対象画素の値が前記最小値よりも小さな値を示す場合、前記処理対象画素の値を前記最小値で置き換える補正手段とを備えることを特徴とする。
請求項９の発明による画像処理装置は、画像データの画素値を補正する画像処理装置であって、前記画像データの１つの処理対象画素に対し、複数の周囲の画素の画素値の中から最大値と最小値を算出する算出手段と、前記算出された最大値から最小値を差し引いた差分値を算出し、該差分値に対して定数倍した値を前記処理対象画素に対する閾値として設定する設定手段と、前記処理対象画素の値と、前記最大値に対して前記閾値を加算した値を比較して、前記処理対象画素の値が該加算値を超えて大きな値を示す場合、前記処理対象画素の値を前記最大値で置き換える補正手段とを備えることを特徴とする。
請求項１０の発明による画像処理装置は、画像データの画素値を補正する画像処理装置であって、前記画像データの１つの処理対象画素に対し、複数の周囲の画素の画素値の中から最大値と最小値を算出する算出手段と、前記算出された最大値から最小値を差し引いた差分値を算出し、該差分値に対して定数倍した値を前記処理対象画素に対する閾値として設定する設定手段と、前記処理対象画素の値と、前記最小値に対して前記閾値を減算した値を比較して、前記処理対象画素の値が該減算値を超えて小さな値を示す場合、前記処理対象画素の値を前記最小値で置き換える補正手段とを備えることを特徴とする。
【手続補正３】
【補正対象書類名】明細書
【補正対象項目名】００１５
【補正方法】変更
【補正の内容】
【００１５】
これらの欠陥画素を補正するためには、一般的にデジタル・フィルタが用いられる。例えば、米国特許第５，３２７，２４６号明細書に開示されているように、単色の信号面に対して、３×３画素領域に含まれる周辺８画素のＭａｘ、Ｍｉｎを算出し、中心画素がそれらよりも所定の閾値を超えて突出している場合は、Ｍａｘ値やＭｉｎ値で置き換えるＭａｘ、Ｍｉｎフィルタが用いられる。また、この米国特許第５，３２７，２４６号明細書では、Ｂａｙｅｒ配列のようなカラーの単板撮像素子の入力信号に対しては、一旦デジタル・フィルタで輝度信号や色差信号の生成処理をした後に、それらの面に対して突出点の隣接画素への滲みの影響を加味しながら、Ｍａｘ、Ｍｉｎフィルタを掛けることが提案されている。
【手続補正４】
【補正対象書類名】明細書
【補正対象項目名】００１７
【補正方法】変更
【補正の内容】
【００１７】
本実施の形態におけるカメラ１００では、このような問題を防ぐために、単板カラー撮像素子面上でＭａｘ、Ｍｉｎフィルタを掛けるときに、周辺の同色の画素信号のみならず、それらより内側により近接して存在する異色の画素信号も同時に参照するようにする。これによって、画像構造の破壊を最小限に抑えつつ、突出点状の欠陥画素を補正することが可能となる。なお、ここではカラーの単板撮像素子で説明するが、ＲとＢの２色をチェック状に配置した単板とＧの１色を全面に配置した単板を組み合わせた２板式の撮像素子やＢａｙｅｒ配列の３色からなる単板とＢａｙｅｒ配列の３色からなる単板を２つ組み合わせた２板式の撮像素子を用いる場合に本発明は適用できる。